(57)【要約】雄スナップを雌スナップから外す時には、そのスナップ間の回転を制限し、一方、通常は、そのスナップ間の回転を許容することができるスナップボタンを提供する。雄スナップ（１０）の突起（１２）の半径方向外側に、半径方向に沿う多数の溝により山と谷が周方向全域に連続する雄側溝面（１４ｂ）を設け、雌スナップ（２０）の突起受入部（２１）の半径方向外側に雄側溝面（１４ｂ）とほぼ同様の雌側溝面（２６ｃ）を設け、雌側溝面（２６ｃ）を雄側溝面（１４ｂ）に対し相対的に傾斜させる。通常は、雄側溝面（１４ｂ）と雌側溝面（２６ｃ）が非係合状態であり、スナップ（１０、２０）間の回転が許容される。雄スナップ（１０）を雌スナップ（２０）から外す際には、結合時の雄スナップ（１０）及び雌スナップ（２０）の各軸線が互いに傾き、雄側溝面（１４ｂ）と雌側溝面（２６ｃ）が係合状態となり、スナップ（１０、２０）間の回転が制限される。
2010143287.tif 000002
【特許請求の範囲】
【請求項１】
一対の雄スナップ（１０、５０）と雌スナップ（２０、６０）から成り、雄スナップ（１０、５０）の基体（１１、５１）から突出する外周が円形の突起（１２、５２）を、雌スナップ（２０、６０）の内周が円形の突起受入部（２１、６１）に結合及び離脱させるスナップボタンにおいて、
雄スナップ（１０）の基体（１１、５１）は、突起（１２、５２）の半径方向外側における突起（１２、５２）が突出する側に、凸部（１５ａ、５５）及び／又は凹部（１５ｂ）を周方向に多数設けた環状の雄側係合部（１４ｂ、５４ｂ）を有し、
雌スナップ（２０、６０）は、突起受入部（２１、６１）の半径方向外側における、突起（１２、５２）が突起受入部（２１、６１）に結合した結合時に雄スナップ（１０、５０）を向く側に、凹部（２７ｂ、６７）及び／又は凸部（２７ａ）を周方向に多数設けた環状の雌側係合部（２６ｃ、６６ｃ）を有し、
雄スナップ（１０、５０）及び雌スナップ（２０、６０）は、突起（１２、５２）が突起受入部（２１、６１）に結合した結合時において、雄スナップ（１０、５０）及び雌スナップ（２０、６０）の各軸線が一致し、かつ雄側係合部（１４ｂ、５４ｂ）の凸部（１５ａ、５５）及び／又は凹部（１５ｂ）と雌側係合部（２６ｃ、６６ｃ）の凹部（２７ｂ、６７）及び／又は凸部（２７ａ）とが周方向全体にわたって互いに係合しない非係合状態と、雄スナップ（１０、５０）及び雌スナップ（２０、６０）の各軸線が互いに傾き、かつ雄側係合部（１４ｂ、５４ｂ）の凸部（１５ａ、５５）及び／又は凹部（１５ｂ）と雌側係合部（２６ｃ）の凹部（２７ｂ、６７）及び／又は凸部（２７ａ）が周方向の一部で互いに係合する係合状態とをとることができるスナップボタン。
【請求項２】
前記雌側係合部（１４ｂ）は、半径方向に沿う溝（１５）を山（１５ａ）と谷（１５ｂ）が周方向全域に連続するように設けた雄側溝面（１４ｂ）であり、
前記雌側係合部（２６ｃ）は、半径方向に沿う溝（２７）を山（２７ａ）と谷（２７ｂ）が前記雄側溝面（１４ｂ）と同ピッチで周方向全域に連続するように設けた雌側溝面（２６ｃ）であり、
雌側溝面（２６ｃ）は、雄スナップ（１０）及び雌スナップ（２０）の各軸線が一致した状態で雄側溝面（１４ｂ）に対し相対的に傾斜する請求項１のスナップボタン。
【請求項３】
前記雄側溝面（１４ｂ）は水平であり、雌側溝面（２６ｃ）は、水平に対し半径方向外側へと低下するように傾斜する請求項２のスナップボタン。
【請求項４】
前記雄スナップ（１０、５０）の基体（１１、５１）は、突起（１２、５２）の半径方向外側において突起（１２、５２）が突出する側に隆起する隆起部（１４、５４）を有し、隆起部（１４、５４）の頂部（１４ｂ、５４ｂ）に前記雄側係合部（１４ｂ、５４ｂ）が形成される請求項１のスナップボタン。
【請求項５】
前記雌スナップ（２０、６０）は、突起受入部（２１、６１）を規定する雌スナップ本体（２２、６２）と、雌スナップ本体（２２、６２）から半径方向外側に拡張し、前記雌側係合部（２６ｃ、６６ｃ）が形成される拡張部（２６、６６）とを備える請求項１のスナップボタン。
【発明の詳細な説明】
【技術分野】
【０００１】
本発明は、一対の雄スナップと雌スナップから成るスナップボタンに関する。
【背景技術】
【０００２】
一対の雄スナップと雌スナップから成るスナップボタンは、衣類、鞄類等の合わせ目に広く使用されており、合わせ目の一方の生地に雄スナップを、他方の生地に雌スナップをそれぞれ固定し、使用者が手で雄スナップの円筒状又は円柱状の突起を雌スナップの円柱状の突起受入部に結合及び離脱させることにより、生地間の閉開が行われる。かかるスナップボタンでは、雄スナップを雌スナップから外す際に使用者が雄スナップ側の生地を雌スナップに対して引っ張ると、雄スナップの突起が雌スナップの突起受入部内で回転（回動）することにより、雄スナップが雌スナップに対して回転して引っ張り力を逃がし、雄スナップが外し難くなる場合がある。また、例えば、スナップボタン付きの衣服を着た使用者が体を動かすような通常の動作時においても雄スナップと雌スナップ間に相対回転が生じ得る。
【発明の概要】
【発明が解決しようとする課題】
【０００３】
上述したような雄スナップの雌スナップからの取り外し（オフアクション）時に雄スナップが雌スナップに対し回転して外し難くなる点を改善するため、雄スナップ−雌スナップ間の相対回転を制限する何らかの対策を講じることが考えられるが、この場合、スナップボタン付き衣服を着た使用者の動き等の通常の動作に伴う雄スナップ−雌スナップ間の相対回転も制限されてしまう。しかしながら、通常の使用動作に伴うスナップ間の回転を許容しないと、スナップ周辺の生地部分あるいはスナップ自体が損傷するおそれが生じる。【０００４】
本発明は、以上の点に鑑みてなされたもので、その目的は、雄スナップを雌スナップから外すオフアクション時には雄スナップと雌スナップ間の回転を制限し、その一方、通常の使用動作時には雄スナップと雌スナップ間の回転を許容することができるスナップボタンを提供することにある。
【課題を解決するための手段】
【０００５】
上記課題を解決するため、本発明によれば、一対の雄スナップと雌スナップから成り、雄スナップの基体から突出する外周が円形の突起を、雌スナップの内周が円形の突起受入部に結合及び離脱させるスナップボタンにおいて、雄スナップの基体は、突起の半径方向外側における突起が突出する側に、凸部及び／又は凹部を周方向に多数設けた環状の雄側係合部を有し、雌スナップは、突起受入部の半径方向外側における、突起が突起受入部に結合した結合時に雄スナップを向く側に、凹部及び／又は凸部を周方向に多数設けた環状の雌側係合部を有し、雄スナップ及び雌スナップは、突起が突起受入部に結合した結合時において、雄スナップ及び雌スナップの各軸線が一致し、かつ雄側係合部の凸部及び／又は凹部と雌側係合部の凹部及び／又は凸部とが周方向全体にわたって互いに係合しない非係合状態と、雄スナップ及び雌スナップの各軸線が互いに傾き、かつ雄側係合部の凸部及び／又は凹部と雌側係合部の凹部及び／又は凸部が周方向の一部で互いに係合する係合状態とをとることができるスナップボタンが提供される。【０００６】
本発明では、雄スナップに、多数の凸部及び／又は凹部を周方向に有する雄側係合部を設け、雌スナップに、雄スナップ及び雌スナップの各軸線が互いに傾いた際に部分的に雄側係合部と係合可能な多数の凹部及び／又は凸部を周方向に有する雌側係合部を設け、突起が突起受入部に結合した結合時において、雄スナップ及び雌スナップの各軸線が一致する（雄スナップと雌スナップが同心状（あるいは平行）である）場合は、雄側係合部の凸部及び／又は凹部と雌側係合部の凹部及び／又は凸部が周方向全体にわたって互いに係合せず（非係合状態）（非係合状態は、雄スナップと雌スナップ間の相対回転を許容する程度に雄側係合部と雌側係合部がわずかに係合する最小係合状態を含み得る。）、雄スナップ及び雌スナップの各軸線が互い傾く（例えば１０度以上）場合は、雄側係合部の凸部及び／又は凹部と雌側係合部の凹部及び／又は凸部が周方向の一部で互いに係合する（係合状態）ように設定される。なお、結合時の雄スナップ及び雌スナップは、非係合状態と係合状態との間を変位し得る。非係合状態では、雄側係合部と雌側係合部は周方向全体にわたって係合していないため、雄スナップと雄スナップ間の相対回転が許容される。係合状態では、雄側係合部と雌側係合部は周方向の一部でしっかりと係合し、これが抵抗となって雄スナップと雄スナップ間の相対回転が制限される。雄スナップの突起を雌スナップの突起受入部から外すために雄スナップ側の生地を雄スナップに対して引っ張ると、離脱前の結合状態にある雄スナップの軸線が雌スナップの軸線に対し傾き、雄側係合部の一部が雌側係合部の一部と係合し（係合状態）、雄スナップの雌スナップに対する回転が制限される。また、例えば、本発明に係るスナップボタンが取り付けられた衣服を着た使用者が体を動かすような通常の動作の場合、オフアクション時のように雄スナップを雌スナップに対し傾けるような力は通常働かないため、結合状態にある雄スナップの軸線と雌スナップの軸線はほぼ同心状のままであり、従って、雄側係合部と雄側係合部はほとんど係合せず（非係合状態）、雄スナップ−雌スナップ間の相対回転が許容される。【０００７】
本発明の一実施形態において、前記雌側係合部は、半径方向に沿う溝を山と谷が周方向全域に連続するように設けた雄側溝面であり、前記雌側係合部は、半径方向に沿う溝を山と谷が前記雄側溝面と同ピッチで周方向全域に連続するように設けた雌側溝面であり、雌側溝面は、雄スナップ及び雌スナップの各軸線が一致した状態で雄側溝面に対し相対的に傾斜する。この場合、非係合状態において、雄側溝面の山及び谷と雌側溝面の谷及び山が周方向全体にわたってほとんど噛み合わないか、あるいは、雄スナップと雌スナップ間の回転を許容する程度に雄側溝面の山及び谷と雌側溝面の谷及び山が溝長手方向の一部のみで浅く（弱く）噛み合い、係合状態において、雄側溝面の山及び谷と雌側溝面の谷及び山が周方向の一部でしっかりと噛み合う（雄側溝面の山及び谷と雌側溝面の谷及び山が溝長手方向に沿う比較的長い領域にわたって深く（強く）噛み合う）。【０００８】
本発明において、雄スナップ及び雌スナップは、例えば、アルミニウム合金、真鍮等の金属材料又はポリエステル、ポリブチレンテレフタレート、ポリアセタール等の樹脂材料を成形して得ることができる。【０００９】
本発明の一実施形態において、前記雄側溝面は水平（軸線に直交する面をいう）であり、雌側溝面は、水平に対し半径方向外側へと低下するように傾斜する。雌側溝面の水平に対する傾斜角度は、例えば１０度〜３０度等に設定することができる。【００１０】
本発明の一実施形態において、前記雄スナップの基体は、突起の半径方向外側において突起が突出する側に隆起する隆起部を有し、隆起部の頂部に前記雄側係合部が形成される。隆起部の隆起高さは、基体の突出高さの約１／２程度とすることができる。【００１１】
本発明の一実施形態において、前記雌スナップは、突起受入部を規定する雌スナップ本体と、雌スナップ本体から半径方向外側に拡張し、前記雌側係合部が形成される拡張部とを備える。
【発明の効果】
【００１２】
本発明では、雄スナップを雌スナップから外すオフアクション時には、雄スナップが雌スナップに対し傾いて雄側係合部と雌側係合部が部分的にしっかりと係合して回転を制限するため、雄スナップが回転して外し難くなるようなことがなく、また、スナップボタン付きの衣服を着た使用者の通常の動作時には、雄側係合部と雌側係合部はほとんど係合しないため、雄スナップと雌スナップ間の相対回転が許容され、使用者の動きを制限したり、生地やスナップ自体を傷めるようなことはない。
【図面の簡単な説明】
【００１３】
【図１】図１は、本発明の一実施形態に係るスナップボタンの雄スナップを示す斜視図である。
【図２】図２は、図１の雄スナップの平面図である。
【図３】図３は、図１の雄スナップの縦断面図である。
【図４】図４は、本発明の一実施形態に係るスナップボタンの雌スナップを示す斜視図である。
【図５】図５は、図４の雌スナップの平面図である。
【図６】図６は、図４の雄スナップの縦断面図である。
【図７】図７は、雄スナップと雌スナップの結合同心状態（非係合状態）を示す縦断面説明図である。
【図８】図８は、雄スナップと雌スナップの結合傾斜状態（係合状態）を示す部分縦断面説明図である。
【図９】図９は、本発明の別の実施形態に係るスナップボタンの雄スナップを示す斜視図である。
【図１０】図１０は、本発明の別の実施形態に係るスナップボタンの雌スナップを示す斜視図である。
【図１１】図１１は、図９及び１０の雄スナップと雌スナップの結合傾斜状態（係合状態）を示す部分縦断面説明図である。
【発明を実施するための形態】
【００１４】
以下、本発明の一実施形態に係るスナップボタンを図面を参照して説明する。図１〜３は雄スナップの斜視図、平面（上面）図及び縦断面図であり、図４〜６は雌スナップの斜視図、平面図及び縦断面図である。本スナップボタンは、いずれも金属又は樹脂成形品である一対の雄スナップ１０と雌スナップ２０から成る。
【００１５】
雄スナップ１０は、半径方向外側端部が厚い略円板状の基体１１と、基体１１から上方（この方向は図３に基づく）に基体１１と同心状に突出する、外周が円形の円筒状の突起１２とを有する。以下、雄スナップ１０について基体１１の突出方向を上方とする。突起１２の半径方向内側に来る基体１１の中央部には、後述するように雄スナップ１０を生地１（図７参照）に固定する際に生地１を貫通した雄スナップ取付部材３０の軸部３２を受け入れるための円形の開口１３が設けられる。突起１２は、その外周上端部に、突起１１の（上端部を除く）外周面１２ａに対し半径方向外側に若干膨らむ環状の雄側膨出部１２ｂを有する。基体１１は、半径方向内側端で開口１３を規定しかつ半径方向外側へと突起１２を越えて延びる厚さが一定の底板部１１ａと、底板部１１ａから半径方向外側へと厚さ（高さ）が次第に厚く（高く）なって上方に隆起する隆起部１４とを含む。隆起部１４は、上述したように底板部１２ａから厚さが半径方向外側へと次第に厚くなる傾斜面１４ａと、傾斜面１４ａの上端から一定厚にて基体１１の半径方向外側端まで水平に延び、後述するように多数の溝１５が形成される環状の雄側係合部としての隆起面１４ｂとを有する。底板部１１ａの上面（表面）１１ａ’からの隆起部１４すなわち隆起面（溝１５が形成されてないと仮定した場合の隆起面）１４ｂの高さは、上面１１ａ’からの突起１２の突出高の約１／２弱である。また、基体１１が半径方向外側端部に隆起部１４を有することにより、隆起部１４の傾斜面１４ａと突起１２の外周面１２ａとの間には底板部１１ａの上面１１ａ’を底とし上方に開放する環状空間１６が形成される。
【００１６】
隆起部１４の隆起面１４ｂには、半径方向に沿う断面三角形状の溝１５が、凸部としての山（隣り合う溝１５−溝１５間の断面三角形状の凸部をいう）１５ａと凹部としての谷（溝１５そのものであり、隣り合う山１５ａ−山１５ａ間の凹部をいう）１５ｂが周方向全域に連続するように多数設けられる。このように多数の溝１５が形成された隆起面を、以下、「雄側溝面」ともいう。
【００１７】
雌スナップ２０は、雄スナップ１０の突起１２を着脱自在に受け入れる円柱凹状の突起受入部２１を規定する雌スナップ本体２２と、雌スナップ本体２２から半径方向外側に拡張し、後述するように雌側係合部としての雌側溝面２６ｃを付設する環状の拡張部２６とを備える。なお、雌スナップ本体２２が突起受入部２１を規定する内周（２４ａ’、２４ｂ’）は水平断面が円形である。雌スナップ本体２２は、突起受入部２１の底面を規定する円板状の受入部底部２３と、受入部底部２３の半径方向外側端部から上方（この方向は図６に基づく。以下、この方向を、雌スナップ２０について上方とする。）に延びて突起受入部２１の周側面を規定する略円筒状の受入部側部２４とを有する。受入部底部２３の中央部には、雌スナップ２０を生地２（図７参照）に固定する際に生地２を貫通した雌スナップ取付部材４０の軸部４２を受け入れるための円形の開口２５が設けられる。受入部側部２４は、半径方向厚さが比較的厚い下方の側部基端部２４ａと、側部基端部２４ａよりも半径方向厚さが薄い上方の側部上端部２４ｂとに区分され、側部上端部２４ｂの内周部は、側部基端部２４ａの内周面２４ａ’に対し半径方向内側に若干膨らむ環状の雌側膨出部２４ｂ’として形成される。側部上端部２４ｂは、雄スナップ１０の突起１２が突起受入部２１と結合及び離脱する際、雌側膨出部２４ｂ’が雄側膨出部１２ｂと係合して半径方向外側に弾性変形するが、この弾性変形を助長するため、半径方向に薄く形成される。なお、側部上端部２４ｂの外周部は、図４及び５に例示するように、略正八角形の八つの頂部間を半径方向内側に凹となる円弧で切り欠いたような形状に形成される。
【００１８】
拡張部２６は、側部基端部２４ａの半径方向外側上端部と連結する拡張基部２６ａと、拡張基部２６ａの半径方向外側端部から下方に延びるスカート部２８とを含む。拡張基部２６ａは、側部基端部２４ａの上面を底にして上方に開放する環状の凹部２９を間に置いて側部上端部２４ｂの外周部と向かい合う水平に対し垂直な内向面２６ｂと、内向面２６ｂの上端から半径方向外側へと下方に傾斜する傾斜面としての雌側溝面２６ｃとを有する。雌側溝面２６ｃには、半径方向に沿う断面三角形状でかつ雄側溝面１４ｂの溝１５よりも長い溝２７が、凸部としての山２７ａと凹部としての谷２７ｂが雄側溝面１４ｂと同ピッチで周方向全域に連続するように雄側溝面１４ｂと同数設けられる。雌側溝面２６ｃの雌側溝面（溝２７が形成されてないと仮定した場合の傾斜面）２６ｃの最も高い半径方向内側端の高さは、図６から分かるように、受入部側部２４（側部上端部２４ｂ）の上端を溝２７の深さ分だけ超え、従って、雌側溝面２６ｃの半径方向内側端における各溝２７（谷２７ｂ）の底の高さが受入部側部２４の上端と一致する。また、雌側溝面２６ｃの水平に対して傾斜する角度は約１０度〜３０度程度に設定される。
【００１９】
図７は、雄スナップ１０の突起１２が雌スナップ２０の突起受入部２１に結合し、かつ雄スナップ１０の軸線と雌スナップ２０の軸線が同心状にある（一致する）結合同心状態（非係合状態）を示す。雄スナップ１０及び雌スナップ２０はそれぞれ、雄スナップ取付部材３０及び雌スナップ取付部材４０によって生地１、２に事前に取り付けられる。雄スナップ取付部材３０及び雌スナップ取付部材４０はそれぞれ、円板状の基部３１、４１と、基部３１、４１から突出する軸部３２、４２とを有し、各軸部３２、４２が生地１、２を貫通しかつ雄スナップ１０及び雌スナップ２０の開口１３、２５を通過した後、加締められ、これにより、雄スナップ１０及び雌スナップ２０は生地１、２に固定される。また、突起１２の突起受入部２１に対する結合及び離脱時に、突起１２の雄側膨出部１２ｂが雌側膨出部２４ｂ’と係合し、突起１２が半径方向内側へ、及び／又は雌スナップ２０の側部上端部２４ｂが半径方向外側へと弾性変形し、雄側膨出部１２ｂが雌側膨出部２４ｂ’を越えると復元する。雄側膨出部１２ｂ及び雌側膨出部２４ｂ’は、突起１２の突起受入部２１に対する離脱抵抗として機能する。突起１２の突起受入部２１内への進行は、突起１２の先端が突起受入部２１の底面（受入部底部２３）に接する前に雄側溝面１４ｂが雌側溝面２６ｃと接して制限される。
【００２０】
図７の結合同心状態では、雄側溝面１４ｂの半径方向内側端が傾斜面である雌側溝面２６ｃの途中（中間点より上方）に対し周方向全体にわたって接触しているが、雄側溝面１４ｂと雌側溝面２６ｃはほとんど噛み合っていないか、もしくは溝１５及び溝２７の長手方向における一部分において最小限の噛み合いとなっている。そのため、この状態では、雄スナップ１０と雌スナップ２０間の相対回転が許容される。
【００２１】
図８は、図７の状態から雄スナップ１０の軸線が雌スナップ２０の軸線に対し傾斜した結合傾斜状態（係合状態）を示す部分縦断面説明図であり、この状態では、雄側溝面１４ｂの周方向の一部がこの部分に対応する雌側溝面２６ｃの一部とほぼ平行になり、雄側溝面１４ｂと雌側溝面２６ｃは溝１５及び溝２７の長手方向における比較的長い領域にわたって深く噛み合う。そのため、この状態では、雄スナップ１０と雌スナップ２０間の相対回転は生じない。雄スナップ１０及び雌スナップ２０は、結合時において非係合状態と係合状態との間を変位し得る。なお、図示はしないが、雄側溝面１４ｂ及び雌側溝面２６ｃにおける上記深く噛み合った周方向部分とは直径方向反対側の部分は、雄側溝面１４ｂと雌側溝面２６ｃ間の間隔が拡大して非接触状態となる。
【００２２】
図９及び１０、本発明の別の実施形態に係るスナップボタンの雄スナップ５０及び雌スナップ６０をそれぞれ示す斜視図であり、これら雄スナップ５０及び雌スナップ６０は、既述した雄スナップ１０及び雌スナップ２０とは主に雄側係合部及び雌側係合部の構造が以下に述べるように異なっている。雄スナップ５０は、基体５１と、基体５１から突出する突起５２とを有し、基体５１は、厚さが半径方向外側へと次第に厚くなって上方に隆起する隆起部５４を含む。隆起部５４は、半球形状の凸部５５が周方向所定間隔で多数形成される水平で環状の隆起面（雄側係合部）５４ｂを有する。雌スナップ６０は、突起受入部６１を規定する雌スナップ本体６２と、雌スナップ本体６２から半径方向外側に拡張する環状の拡張部６６とを備え、拡張部６６は、半球形状の凹部６７が雄スナップ５０の凸部５５と同ピッチかつ同数にて周方向に形成される、水平に対し半径方向外側へと下方に傾斜する環状の傾斜面（雌側係合部）６６ｃを有する。
【００２３】
雄スナップ５０及び雌スナップ６０は、図示しない結合同心状態（非係合状態）では、雄側係合部５４ｂの凸部５５と雌側係合部６６ｃの凹部６７はほとんど係合せず、雄スナップ５０と雌スナップ６０間の相対回転が許容される。その一方、図１１に示す結合傾斜状態（係合状態）では、雄側係合部５４ｂの凸部５５と雌側係合部６６ｃの凹部６７は周方向の一部でしっかりと係合し、これにより、雄スナップ５０と雌スナップ６０間の相対回転が制限される。
【００２４】
以上のスナップボタンでは、雄スナップ１０、５０を雌スナップ２０、６０から外す際に雄スナップ１０、５０側の生地１を雌スナップ２０、６０に対し引っ張る等すると、雄スナップ１０、５０が雌スナップ２０、６０に対し傾いて上記結合傾斜状態（係合状態）となるため、雄スナップ１０、５０は回転せず、従来のように雄スナップ１０、５０が雌スナップ２０、６０に対し回転して引っ張り力が逃がされるようなことがなく、雄スナップ１０、５０のオフアクションを円滑に行うことができる。また、例えば、雄スナップ１０、５０及び雌スナップ２０、６０が取り付けられた衣服を着た使用者が通常の動作を行う際、オフアクション時のように雄スナップ１０、５０が雌スナップ２０、６０に対し傾くようなことは通常なく、雄スナップ１０、５０及び雌スナップ２０、６０は上記結合同心状態（非係合状態）又はこれに近い状態にある。そのため、雄スナップ１０、５０と雌スナップ２０、６０間の回転が許容され、使用者の動作が妨げられたり、雄スナップ１０、５０及び雌スナップ２０、６０自体やこれら周辺の生地１、２部分が損傷するようなことはない。
【符号の説明】
【００２５】
１０、５０  雄スナップ
１１、５１  基体
１２、５２  突起
１４、５４  隆起部
１４ｂ  雄側溝面（隆起面）
１５  溝
１５ａ  山
１５ｂ  谷
２０、６０  雌スナップ
２１、６１  突起受入部
２２、６２  雌スナップ本体
２６、６６  拡張部
２６ｃ  雌側溝面
２７  溝
２７ａ  山
２７ｂ  谷
５４ｂ  雄側係合部
５５  凸部
６６ｃ  雌側係合部
６７  凹部
【図１】
2010143287.tif 000003
【図２】
2010143287.tif 000004
【図３】
2010143287.tif 000005
【図４】
2010143287.tif 000006
【図５】
2010143287.tif 000007
【図６】
2010143287.tif 000008
【図７】
2010143287.tif 000009
【図８】
2010143287.tif 000010
【図９】
2010143287.tif 000011
【図１０】
2010143287.tif 000012
【図１１】
2010143287.tif 000013
【手続補正書】
【提出日】平成24年3月23日(2012.3.23)
【手続補正１】
【補正対象書類名】特許請求の範囲
【補正対象項目名】請求項２
【補正方法】変更
【補正の内容】
【請求項２】
前記雄側係合部（１４ｂ）は、半径方向に沿う溝（１５）を山（１５ａ）と谷（１５ｂ）が周方向全域に連続するように設けた雄側溝面（１４ｂ）であり、
前記雌側係合部（２６ｃ）は、半径方向に沿う溝（２７）を山（２７ａ）と谷（２７ｂ）が前記雄側溝面（１４ｂ）と同ピッチで周方向全域に連続するように設けた雌側溝面（２６ｃ）であり、
雌側溝面（２６ｃ）は、雄スナップ（１０）及び雌スナップ（２０）の各軸線が一致した状態で雄側溝面（１４ｂ）に対し相対的に傾斜する請求項１のスナップボタン。
【国際調査報告】
2010143287.tif 000014
2010143287.tif 000015
2010143287.tif 000016
2010143287.tif 000017